(57)【要約】【課題】光学素子を効果的に冷却できるプロジェクタを提供する。【解決手段】プロジェクタは、吸気口を有する外装筐体と、吸気口を介して導入した空気を外装筐体内部に配設される光学素子４５１に送風する冷却ファン６４を含んで構成される空冷装置６とを備える。空冷装置６は、吸気口を介して導入された空気を光学素子４５１の配設位置に導く吸気ダクト６１および送風ダクト６５と、一部が吸気ダクト６１外部に面し、吸気ダクト６１内部の空気の熱を受熱して吸気ダクト６１外部に放熱する空気放熱部材６２とを備える。【選択図】図８
2009229955.tif 000002
【特許請求の範囲】
【請求項１】
吸気口を有する外装筐体と、前記吸気口を介して導入した空気を前記外装筐体内部に配設される光学素子に送風する冷却ファンを含んで構成される空冷装置とを備えたプロジェクタであって、
前記空冷装置は、
前記吸気口を介して導入された空気を前記光学素子の配設位置に導くダクト部材と、
一部が前記ダクト部材外部に面し、前記ダクト部材内部の空気の熱を受熱して前記ダクト部材外部に放熱する空気放熱部材とを備える
ことを特徴とするプロジェクタ。
【請求項２】
請求項１に記載のプロジェクタにおいて、
第１吸熱面および第１放熱面を有し、前記第１放熱面が前記ダクト部材外部に面し、前記第１吸熱面が前記空気放熱部材の放熱側に熱伝達可能に接続する第１熱電変換素子を備える
ことを特徴とするプロジェクタ。
【請求項３】
請求項１または請求項２のいずれかに記載のプロジェクタにおいて、
内部に毛細管構造を有する管状に形成されるとともに管内部には冷媒が収容され前記冷媒が管内部を還流することにより熱移動が行われるヒートパイプと、
第２吸熱面および第２放熱面を有する第２熱電変換素子とを備え、
前記ヒートパイプは、前記光学素子に熱伝達可能に接続するとともに、前記光学素子との接続部位から離間した部位が前記第２吸熱面に熱伝達可能に接続する
ことを特徴とするプロジェクタ。
【請求項４】
請求項３に記載のプロジェクタにおいて、
入射光束を画像情報に応じて変調する複数の光変調装置と、
前記複数の光変調装置にそれぞれ対向する複数の光束入射側端面を有し、前記複数の光変調装置を介した光束を合成して射出する色合成光学装置と、
前記光変調装置および前記光束入射側端面の間に介装され、前記光変調装置を支持し、前記光変調装置を前記光束入射側端面に取り付ける複数の支持部材とを備え、
前記光学素子は、前記複数の光変調装置のうち少なくともいずれかの光変調装置で構成され、
前記光学素子および前記支持部材の各側端部を跨るように取り付けられる熱伝導性シートを備え、
前記ヒートパイプは、前記熱伝導性シートにおける前記支持部材に取り付けられる部位に熱伝達可能に接続する
ことを特徴とするプロジェクタ。
【請求項５】
請求項３または請求項４に記載のプロジェクタにおいて、
第１吸熱面および第１放熱面を有し、前記第１放熱面が前記ダクト部材外部に面し、前記第１吸熱面が前記空気放熱部材の放熱側に熱伝達可能に接続する第１熱電変換素子と、
環状の流路に沿って冷却液体を循環させる液冷装置とを備え、
前記液冷装置は、
内部に冷却液体を流通可能に構成され、前記第１放熱面および前記第２放熱面に熱伝達可能にそれぞれ接続する第１受熱部材および第２受熱部材と、
冷却液体を吸入および圧送する液体圧送部と、
冷却液体の熱を放熱する液体放熱部と、
前記各受熱部材、前記液体圧送部、および前記液体放熱部を接続し、前記環状の流路を形成する複数の液体循環部材とを備える
ことを特徴とするプロジェクタ。
【請求項６】
請求項５に記載のプロジェクタにおいて、
前記第１受熱部材または前記第２受熱部材は、前記液体圧送部で構成されている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている（例えば、特許文献１参照）。
特許文献１に記載のプロジェクタでは、光変調装置等の光学素子を冷却する冷却装置として以下の構造が採用されている。
すなわち、冷却装置は、外装筐体に形成された吸気口を介して外装筐体内部に空気を吸入して吐出するシロッコファンと、シロッコファンから吐出された空気を光学素子の配設位置に導くダクトとを備える。そして、冷却装置は、光学素子に空気を送風することで光学素子を冷却する。
【０００３】
【特許文献１】特開２００３−２１５７０１号公報
【発明の開示】
【発明が解決しようとする課題】
【０００４】
しかしながら、特許文献１に記載のプロジェクタでは、外装筐体外部の空気をそのまま光学素子に送風する構成であるため、環境温度の空気が光学素子に送風されることとなり、光学素子を効果的に冷却することが難しい。
【０００５】
本発明の目的は、光学素子を効果的に冷却できるプロジェクタを提供することにある。
【課題を解決するための手段】
【０００６】
本発明のプロジェクタは、吸気口を有する外装筐体と、前記吸気口を介して導入した空気を前記外装筐体内部に配設される光学素子に送風する冷却ファンを含んで構成される空冷装置とを備えたプロジェクタであって、前記空冷装置は、前記吸気口を介して導入された空気を前記光学素子の配設位置に導くダクト部材と、一部が前記ダクト部材外部に面し、前記ダクト部材内部の空気の熱を受熱して前記ダクト部材外部に放熱する空気放熱部材とを備えることを特徴とする。
【０００７】
本発明では、プロジェクタは、一部がダクト部材外部に面し、ダクト部材内部の空気の熱を受熱してダクト部材外部に放熱するヒートシンク等の空気放熱部材を備えるので、ダクト部材を介して光学素子に送風される空気の熱を空気放熱部材によりダクト部材外部に放熱し、光学素子に送風される空気の温度を低減させることができる。このため、従来の構成と比較して、より温度の低い空気を光学素子に送風することができ、光学素子を効果的に冷却できる。したがって、光学素子の熱劣化を回避し、プロジェクタの長寿命化が図れる。
【０００８】
本発明のプロジェクタでは、第１吸熱面および第１放熱面を有し、前記第１放熱面が前記ダクト部材外部に面し、前記第１吸熱面が前記空気放熱部材の放熱側に熱伝達可能に接続する第１熱電変換素子を備えることが好ましい。
本発明では、プロジェクタは、第１放熱面がダクト部材外部に面し第１吸熱面が空気放熱部材の放熱側に熱伝達可能に接続するペルチェ素子等の第１熱電変換素子を備えるので、ダクト部材を介して光学素子に送風される空気の熱を第１吸熱面から空気放熱部材を介して効果的に吸熱し、ダクト部材外部に放熱できる。このため、光学素子に送風される空気の温度をさらに低減させ、光学素子をより効果的に冷却できる。
【０００９】
本発明のプロジェクタでは、内部に毛細管構造を有する管状に形成されるとともに管内部には冷媒が収容され前記冷媒が管内部を還流することにより熱移動が行われるヒートパイプと、第２吸熱面および第２放熱面を有する第２熱電変換素子とを備え、前記ヒートパイプは、前記光学素子に熱伝達可能に接続するとともに、前記光学素子との接続部位から離間した部位が前記第２吸熱面に熱伝達可能に接続することが好ましい。
【００１０】
本発明では、プロジェクタは、ペルチェ素子等の第２熱電変換素子と、所定の部位（例えば、一端側の部位（蒸発部））が光学素子に熱伝達可能に接続するとともに、蒸発部から離間した部位（例えば、他端側の部位（凝縮部））が第２熱電変換素子の第２吸熱面に熱伝達可能に接続するヒートパイプとを備える。このことにより、光学素子に生じた熱を、ヒートパイプの蒸発部から凝縮部に移動させ、さらに、第２熱電変換素子の第２吸熱面から吸熱させることができる。特に、第２熱電変換素子の第２吸熱面から凝縮部の熱が吸熱されるため、凝縮部の温度を低減して、蒸発部および凝縮部間の温度差を大きく設定でき、ヒートパイプ内部における熱の移動量を増加させることができる。
したがって、空冷装置を用いた冷却構造に加えて、ヒートパイプおよび第２熱電変換素子を用いることで、光学素子をより一層効果的に冷却できる。
【００１１】
本発明のプロジェクタでは、入射光束を画像情報に応じて変調する複数の光変調装置と、前記複数の光変調装置にそれぞれ対向する複数の光束入射側端面を有し、前記複数の光変調装置を介した光束を合成して射出する色合成光学装置と、前記光変調装置および前記光束入射側端面の間に介装され、前記光変調装置を支持し、前記光変調装置を前記光束入射側端面に取り付ける複数の支持部材とを備え、前記光学素子は、前記複数の光変調装置のうち少なくともいずれかの光変調装置で構成され、前記光学素子および前記支持部材の各側端部を跨るように取り付けられる熱伝導性シートを備え、前記ヒートパイプは、前記熱伝導性シートにおける前記支持部材に取り付けられる部位に熱伝達可能に接続することが好ましい。
【００１２】
本発明では、プロジェクタは、複数の光変調装置のうち少なくともいずれかの光変調装置および支持部材の各側端部を跨るように取り付けられる熱伝導性シートを備える。そして、ヒートパイプは、熱伝導性シートにおける支持部材に取り付けられる部位に熱伝達可能に接続する。すなわち、ヒートパイプは、光変調装置に直接、接続することなく、熱伝導性シートを介して光変調装置に熱伝達可能に接続する。このことにより、ヒートパイプを取り付ける際に光変調装置に力が加わることがなく、さらには、ヒートパイプを取り付けた後でのヒートパイプの熱応力が光変調装置に加わることがなく、各光変調装置の相互位置のずれを防止でき、画素ずれを回避できる。このため、プロジェクタは、鮮明な投影画像を表示させることができる。
【００１３】
本発明のプロジェクタでは、第１吸熱面および第１放熱面を有し、前記第１放熱面が前記ダクト部材外部に面し、前記第１吸熱面が前記空気放熱部材の放熱側に熱伝達可能に接続する第１熱電変換素子と、環状の流路に沿って冷却液体を循環させる液冷装置とを備え、前記液冷装置は、内部に冷却液体を流通可能に構成され、前記第１放熱面および前記第２放熱面に熱伝達可能にそれぞれ接続する第１受熱部材および第２受熱部材と、冷却液体を吸入および圧送する液体圧送部と、冷却液体の熱を放熱する液体放熱部と、前記各受熱部材、前記液体圧送部、および前記液体放熱部を接続し、前記環状の流路を形成する複数の液体循環部材とを備えることが好ましい。
【００１４】
本発明では、プロジェクタは、液冷装置を備えるので、第１熱電変換素子における第１放熱面の熱を第１受熱部材にて受熱して内部の冷却液体に伝達させ、第２熱電変換素子における第２放熱面の熱を第２受熱部材にて受熱して内部の冷却液体に伝達させることができる。また、冷却液体が環状の流路に沿って循環し液体放熱部を流通する際に、冷却液体から熱を放熱させることができる。このため、各熱電変換素子における各放熱面から効果的に熱を放熱させることができ、各熱電変換素子の消費電力に対する冷却対象（空気放熱部材、ヒートパイプの凝縮部）から吸熱する吸熱量の比率（吸熱比率）を向上させることができる。したがって、第１熱電変換素子により空気放熱部材を介してダクト部材内部の空気の温度をより一層低減させることができるとともに、第２熱電変換素子によりヒートパイプを介して光学素子の温度をより一層低減させることができ、光学素子をより一層効果的に冷却できる。
【００１５】
本発明のプロジェクタでは、前記第１受熱部材または前記第２受熱部材は、前記液体圧送部で構成されていることが好ましい。
本発明では、第１受熱部材または第２受熱部材が液体圧送部で構成され、液体圧送部が第１熱電変換素子または第２熱電変換素子における放熱面に熱伝達可能に接続する。液体圧送部内部では冷却液体が撹拌され冷却液体の温度が均一化されるため、温度が均一化された冷却液体により第１熱電変換素子または第２熱電変換素子における放熱面から液体圧送部を介して均一に熱を受熱することができる。
【発明を実施するための最良の形態】
【００１６】
[第１実施形態]
以下、本発明の第１実施形態を図面に基づいて説明する。
〔プロジェクタの概略構成〕
図１は、第１実施形態におけるプロジェクタ１の内部構造を示す斜視図である。具体的に、図１は、プロジェクタ１を前面上方側から見た斜視図である。
なお、以下で記載する「上」、「下」、「左」、「右」は、図１における図面視において、上下左右に相当するものである。また、以下で記載する「前面」、「背面」も、図１における図面視において、前面および背面に相当するものである。
プロジェクタ１は、光源から射出された光束を画像情報に応じて変調して画像光を形成し、形成した画像光をスクリーン（図示略）上に拡大投射するものである。このプロジェクタ１は、図１に示すように、外装を構成する外装筐体２と、外装筐体２内部に配設される装置本体３とを備える。
【００１７】
外装筐体２は、図１に示すように、天面部（図１では図示を省略）、底面部２１、前面部２２、背面部２３、左側面部２４、および右側面部２５を有し、直方体形状を有する。
この外装筐体２において、右側面部２５の前面側には、平面視矩形状の吸気口２５１が形成されている。また、吸気口２５１の背面側には、平面視矩形状の排気口２５２が形成されている。
【００１８】
図２および図３は、装置本体３を示す図である。具体的に、図２は、装置本体３を前面上方側から見た斜視図である。図３は、装置本体３を前面下方側から見た斜視図である。
装置本体３は、図２または図３に示すように、光学ユニット４と、熱輸送装置５（図２）と、空冷装置６と、液冷装置７とを備える。
なお、具体的な図示は省略したが、外装筐体２内において、各部材４〜７以外の空間には、プロジェクタ１の各構成部材に電力を供給する電源ユニット、プロジェクタ１の各構成部材の動作を制御する制御装置等が配置されるものとする。
【００１９】
〔光学ユニットの構成〕
図４は、光学ユニット４の光学系を模式的に示す平面図である。
光学ユニット４は、前記制御装置による制御の下、画像情報に応じて画像光を形成するものであり、外装筐体２の背面に沿って左側から右側に延出し、延出方向先端部分が前面側に屈曲して延出する平面視略Ｌ字形状を有している。
この光学ユニット４は、図４に示すように、光源ランプ４１１およびリフレクタ４１２を有する光源装置４１と、レンズアレイ４２１，４２２、反射ミラー４２３、偏光変換素子４２４、および重畳レンズ４２５を有する照明光学装置４２と、ダイクロイックミラー４３１，４３２、および反射ミラー４３３を有する色分離光学装置４３と、入射側レンズ４４１、リレーレンズ４４３、および反射ミラー４４２，４４４を有するリレー光学装置４４と、液晶パネル４５１１を有する光変調装置（光学素子）としての３つの光変調装置４５１（赤色光側の光変調装置を４５１Ｒ、緑色光側の光変調装置を４５１Ｇ、青色光側の光変調装置を４５１Ｂとする）、３つの入射側偏光板４５２、３つの射出側偏光板４５３、および色合成光学装置としてのクロスダイクロイックプリズム４５４を有する光学装置４５と、光学部品用筐体４６と、投射光学装置としての投射レンズ４７とを備える。
【００２０】
そして、光学ユニット４では、上述した構成により、光源装置４１から射出され照明光学装置４２を介した光束は、色分離光学装置４３にてＲ，Ｇ，Ｂの３つの色光に分離される。また、分離された各色光は、各液晶パネル４５１１にて画像情報に応じてそれぞれ変調され、色光毎の画像光が形成される。色光毎の画像光は、クロスダイクロイックプリズム４５４にて合成され、投射レンズ４７にてスクリーン（図示略）に拡大投射される。
なお、上述した各光学部品４１〜４４，４７については、種々の一般的なプロジェクタの光学系として利用されているため、具体的な説明を省略する。
以下では、３つの光変調装置、３つの射出側偏光板４５３、およびクロスダイクロイックプリズム４５４が一体化された光学装置本体４５Ａ、および光学部品用筐体４６の構成を説明する。
【００２１】
〔光学装置本体の構成〕
図５は、光学装置本体４５Ａの構成を示す分解斜視図である。
なお、図５では、光学装置本体４５Ａにおいて、Ｇ色光側のみを分解しているが、Ｒ，Ｂ色光側もＧ色光側と同様の構造を有しているものである。
光学装置本体４５Ａは、図５に示すように、各光変調装置４５１、各射出側偏光板４５３、およびクロスダイクロイックプリズム４５４の他、３つの支持部材４５５（Ｒ色光側の支持部材を４５５Ｒ、Ｇ色光側の支持部材を４５５Ｇ、Ｂ色光側の支持部材を４５５Ｂとする）と、支持構造体４５６とを備え、これら各部材４５１，４５３〜４５６が一体化されたものである。
ここで、射出側偏光板４５３は、図５に示すように、透光性基板４５３Ａ上に偏光膜４５３Ｂが貼付された構成を有し、偏光膜４５３Ｂが光束入射側に向いた状態でクロスダイクロイックプリズム４５４の光束入射側端面４５４Ａに接着剤等により固定される。
【００２２】
また、光変調装置４５１は、図５に示すように、液晶パネル４５１１を収納保持するパネル保持枠４５１２を備える。
パネル保持枠４５１２は、平面視矩形形状を有し、略中央部分に液晶パネル４５１１の画像形成領域に応じた開口部４５１２Ａを有している。
また、パネル保持枠４５１２において、光束射出側には、具体的な図示は省略したが、開口部４５１２Ａの周縁部分に、液晶パネル４５１１における外形形状（段付状）に対応し液晶パネル４５１１を収納保持する凹部が形成され、該凹部にて液晶パネル４５１１と熱伝達可能に接続する。
さらに、パネル保持枠４５１２において、四隅角部分には、光変調装置４５１を支持部材４５５に固定するための固定用孔４５１２Ｂがそれぞれ形成されている。
【００２３】
支持部材４５５は、光変調装置４５１およびクロスダイクロイックプリズム４５４の間に配設され、光変調装置４５１を支持し、クロスダイクロイックプリズム４５４の光束入射側端面４５４Ａに対して固定する部材である。この支持部材４５５は、図５に示すように、第１支持部４５５１と、第２支持部４５５２とを備える。
第１支持部４５５１は、略中央部分に矩形状の開口部４５５３Ａを有する平面視略矩形状の板状部４５５３と、板状部４５５３の左右両端縁から光束入射側に向けて突出する突出部４５５４とで構成される。
そして、第１支持部４５５１は、クロスダイクロイックプリズム４５４の光束入射側端面４５４Ａに固定された射出側偏光板４５３に対して、偏光膜４５３Ｂが開口部４５５３Ａに挿通した状態で板状部４５５３が透光性基板４５３Ａに接着剤等により固定される。
【００２４】
第２支持部４５５２は、下方側端縁から上方側に向けて切り欠かれたＵ字形状の切り欠き４５５５Ａを有する平面視略矩形状の板状部４５５５と、板状部４５５５の左右両端縁から光束射出側に向けて突出する突出部４５５６とで構成される。
そして、第２支持部４５５２は、第１支持部４５５１における各突出部４５５４の内面に対して各突出部４５５６の外面が当接した状態で、接着剤等により固定される。
また、板状部４５５５において、四隅角部分には、光変調装置４５１を固定するための固定用孔４５５５Ｂがそれぞれ形成されている。そして、各固定用孔４５１２Ｂ，４５５５Ｂを介して、第２支持部４５５２およびパネル保持枠４５１２をねじ４５７にて接続することで、光変調装置４５１が支持部材４５５に固定される。
【００２５】
支持構造体４５６は、図５に示すように、略直方体形状を有し、上面の所定位置にクロスダイクロイックプリズム４５４を載置し、光学装置本体４５Ａ全体を支持する部材である。
この支持構造体４５６には、四隅角部分から外側に向けて延出し、光学部品用筐体４６に接続する腕部４５６１が形成されている。そして、腕部４５６１を光学部品用筐体４６に接続することで、光学装置本体４５Ａ全体が光学部品用筐体４６に固定される。
【００２６】
〔光学部品用筐体の構成〕
光学部品用筐体４６は、図２または図３に示すように、平面視略Ｌ字形状を有し、内部に所定の照明光軸Ａ（図４）が設定され、上述した各光学部品４１〜４５を照明光軸Ａに対する所定位置に配置する。この光学部品用筐体４６は、部品収納部材４６１と、蓋状部材４６２とを備える。
部品収納部材４６１は、光源装置収納部４６１１と、部品収納部本体４６１２とで構成される。
光源装置収納部４６１１は、光学部品用筐体４６のＬ字形状一端側に位置し、左側に開口部を有する容器状に形成されている。そして、光源装置収納部４６１１には、開口部を介して、光源装置４１が収納される。
【００２７】
部品収納部本体４６１２は、上方側に開口部（図示略）を有する容器状に形成されている。そして、部品収納部本体４６１２には、開口部を介して、光源装置収納部４６１１と接続する一端側から順に、各光学部品４２〜４４が収納され、前記一端側と反対側の他端側に光学装置４５が収納される。また、部品収納部本体４６１２には、光学装置４５に対向する側面に投射レンズ４７が取り付けられる。
この部品収納部本体４６１２において、下方側端面には、各光変調装置４５１Ｒ，４５１Ｇ，４５１Ｂの配置位置に対応した位置にそれぞれ開口部４６１２Ｒ，４６１２Ｇ，４６１２Ｂ（図３）が形成されている。
【００２８】
蓋状部材４６２は、部品収納部本体４６１２の上方側の開口部を閉塞する部材であり、部品収納部本体４６１２の平面形状と略同一の平面形状を有する。
この蓋状部材４６２には、光学装置４５の配置位置に対応して、光学装置４５を平面的に囲うＵ字状の切り欠き４６２１（図２）が形成されている。
【００２９】
〔熱輸送装置の構成〕
図６および図７は、熱輸送装置５の構成を示す図である。具体的に、図６は、光学装置本体４５Ａに熱輸送装置５が一体化された状態を背面下方側から見た斜視図である。図７は、図６の状態を背面上方側から見た分解斜視図である。
熱輸送装置５は、Ｇ色光側の光変調装置４５１Ｇに熱伝達可能に接続し、光変調装置４５１Ｇの熱を液冷装置７に伝達する。この熱輸送装置５は、図６または図７に示すように、２つの熱伝導性シート５１と、２つのヒートパイプ５２と、受熱ブロック５３と、断熱部材５４と、第２熱電変換素子としての第２ペルチェ素子５５とを備える。
【００３０】
２つの熱伝導性シート５１は、熱伝導性材料で形成され、折り曲げ可能なシート状部材であり、例えば、グラファイトシートで構成されている。これら熱伝導性シート５１は、図６または図７に示すように、光変調装置４５１Ｇを構成するパネル保持枠４５１２の左右両側端部と、支持部材４５５Ｇを構成する第１支持部４５５１の左右両側端部とに跨るように取り付けられている。そして、光変調装置４５１Ｇ（液晶パネル４５１１）にて生じた熱を第１支持部４５５１側に伝達する。
【００３１】
受熱ブロック５３は、アルミニウム等の熱伝導性材料から構成され、直方体形状を有するブロック状に形成されている。そして、受熱ブロック５３は、図６または図７に示すように、クロスダイクロイックプリズム４５４の上方側端面に固定された台座４５４１に載置固定されている。
【００３２】
２つのヒートパイプ５２は、同一の機能を有するものであり、内部に毛細管構造（ウィック）を有する断面視円形状の管状に形成されるとともに、管内部には冷媒が収容され、冷媒が管内部を還流することにより、該ヒートパイプ５２内での熱移動が行われる。
ここで、具体的な図示は省略したが、ヒートパイプ５２の毛細管構造は、パウダー状の焼結型ウィックで構成されている。また、冷媒としては、水を採用している。なお、前記毛細管構造としては、焼結型ウィックに限らず、その他のウィック、例えば、複数の細い銅線等で構成された極細線型ウィック、網目状の金属メッシュ型ウィック、あるいは、管内部に複数の溝を形成したグルーブ型のウィックで構成しても構わない。また、冷媒としては、水に限らず、その他の冷媒、例えば、アルコール等を採用しても構わない。
【００３３】
これらヒートパイプ５２は、プレス加工が施されることで、図６または図７に示すように、一端側の部位（蒸発部）５２１が上方側に向けて延出するとともに、他端側の部位（凝縮部）５２２（図６）が前面側に向けて延出するＬ字形状を有するように屈曲形成されている。そして、各ヒートパイプ５２は、蒸発部５２１の外面が熱伝導性シート５１における第１支持部４５５１の左右両側端部に取り付けられた部位に熱伝達可能に接続し、凝縮部５２２が受熱ブロック５３の下方側端面に熱伝達可能に接続する。すなわち、各ヒートパイプ５２は、熱伝導性シート５１を介して光変調装置４５１Ｇに熱伝達可能に接続する。
【００３４】
断熱部材５４は、図６または図７に示すように、第２ペルチェ素子５５を嵌合可能とする矩形状の開口部５４１（図７）を有する矩形枠状の板体で構成され、受熱ブロック５３の上方側端面に固定される。
この断熱部材５４は、熱伝導性の低い（例えば、０．９Ｗ／（ｍ・Ｋ）以下）材料で構成されている。
【００３５】
第２ペルチェ素子５５は、具体的な図示は省略したが、ｐ型半導体とｎ型半導体とを金属片で接合して構成した接合対を複数有しており、これら複数の接合対は電気的に直接に接続されている。
このような構成を有する第２ペルチェ素子５５において、電力が供給されると、図７に示すように、第２ペルチェ素子５５の一方の端面（下方側の端面）が熱を吸収する第２吸熱面５５１となり、他方の端面（上方側の端面）が熱を放熱する第２放熱面５５２となる。
そして、第２ペルチェ素子５５は、断熱部材５４の開口部５４１に嵌合され、第２吸熱面５５１が受熱ブロック５３の上方側端面に熱伝達可能に接続する。
【００３６】
以上説明した熱輸送装置５により、光変調装置４５１Ｇ（液晶パネル４５１１）に生じた熱は、以下に示すように移動する。
光変調装置４５１Ｇに生じた熱は、液晶パネル４５１１〜パネル保持枠４５１２〜熱伝導性シート５１〜各ヒートパイプ５２の蒸発部５２１の熱伝達経路を辿る。
ここで、蒸発部５２１の内部では、伝達された熱により冷媒が熱せられて蒸発して気化し、このとき潜熱（気化熱）として熱が取り込まれる。
そして、気化した冷媒は、蒸気流となって、蒸発部５２１から離間した低温側である凝縮部５２２に移動する。そして、凝縮部５２２に移動した冷媒は、冷やされて液化し、熱を放出する（凝縮潜熱による熱放出）。
そして、凝縮部５２２の熱は、受熱ブロック５３を介して、第２ペルチェ素子５５の第２吸熱面５５１から吸熱される。
凝縮部５２２にて液化した冷媒は、毛細管構造（ウィック）を通って再度、蒸発部５２１に戻る。
【００３７】
〔空冷装置の構成〕
図８ないし図１０は、空冷装置６の構成を説明するための図である。具体的に、図８および図９は、図２および図３の状態から、光学ユニット４における光学装置本体４５Ａを除く他の部材を省略した図である。図１０は、図８および図９に示す状態を前面左上方側から見た図である。
なお、図８ないし図１０では、説明の便宜上、吸気ダクト６１内部を示すために、筒状部材６１１（図２、図３）を１点鎖線で示し、筒状部材６１１内部の整流板６１１２を実線で示している。
空冷装置６は、光学装置４５や液冷装置７を構成する後述するラジエータ７４に空気を送風し、光学装置４５やラジエータ７４を強制空冷する。この空冷装置６は、図６ないし図８に示すように、吸気ダクト６１と、２つの空気放熱部材６２と、第１熱電変換素子としての４つの第１ペルチェ素子６３（図１１参照）と、冷却ファンとしての一対のシロッコファン６４と、送風ダクト６５と、軸流ファン６６とを備える。
なお、吸気ダクト６１および送風ダクト６５が本発明に係るダクト部材に相当する。
【００３８】
吸気ダクト６１は、図８ないし図１０に示すように、筒状部材６１１と、閉塞部材６１２とを備える。
筒状部材６１１は、左右方向に延出する四角筒形状を有し、右側の開口部６１１１が吸気口２５１に接続する（図１）。
この筒状部材６１１において、その内部における左右方向略中央部分には、吸気口２５１の開口面に平行し、筒状部材６１１の上方側の内側面を除く他の内側面に接続する矩形状の整流板６１１２が設けられている。
また、筒状部材６１１の下方側端面には、具体的な図示は省略したが、整流板６１１２に対して左側に位置し、前面側および背面側にそれぞれ、内部の空気を外部に流出させる一対の開口部が形成されている。
【００３９】
閉塞部材６１２は、筒状部材６１１における左側の開口部６１１３に接続して開口部６１１３を閉塞する。この閉塞部材６１２は、第１板体６１２１と、第２板体６１２２（図１０）とを備える。
第１板体６１２１は、開口部６１１３と略同一の形状を有し、開口部６１１３に接続して開口部６１１３を閉塞する。
この第１板体６１２１において、前面側および背面側には、表裏を貫通し、２つの第１ペルチェ素子６３を嵌合可能とする矩形状の開口部６１２１Ａ，６１２１Ｂ（図１１参照）がそれぞれ形成されている。
【００４０】
第２板体６１２２は、第１板体６１２１と略同一の形状を有し、第１板体６１２１の外面（左側の端面）に固定される。
この第２板体６１２２には、具体的な図示は省略したが、第１板体６１２１の各開口部６１２１Ａ，６１２１Ｂに対応する位置に、各開口部６１２１Ａ，６１２１Ｂよりも小さい矩形形状を有し、液冷装置７を構成する後述する各受熱ジャケット７２，７３の受熱部７２１，７３１を嵌合可能とする開口部がそれぞれ形成されている。
以上説明した各板体６１２１，６１２２は、熱伝導率が低い（例えば、０．９Ｗ／（ｍ・Ｋ）以下）材料で構成されている。
【００４１】
そして、吸気ダクト６１は、吸気口２５１を介して外装筐体２外部から内部に導入された空気を、開口部６１１１を介して内部に導入し、整流板６１１２にて上方側に整流した後、閉塞部材６１２に沿って上方側から下方側に向けて流通させ、筒状部材６１１における下方側端面に形成された一対の開口部を介して下方側に流出させる。
【００４２】
図１１は、閉塞部材６１２、空気放熱部材６２、および第１ペルチェ素子６３の配置位置を示す分解斜視図である。
４つの第１ペルチェ素子６３は、第２ペルチェ素子５５と同様の構成を有し、図１１に示すように、第１吸熱面６３１（右側の端面）が吸気ダクト６１内部に向き、第１放熱面６３２（左側の端面）が吸気ダクト６１外部に向くように第１板体６１２１の各開口部６１２１Ａ，６１２１Ｂに嵌合される。
【００４３】
２つの空気放熱部材６２は、図１１に示すように、同様の構成を有し、矩形状の板体６２１と、板体６２１における右側の端面から突出し上下方向に延出する複数のフィン部材６２２とを有する、いわゆるヒートシンクで構成されている。これら空気放熱部材６２は、第１板体６１２１の内面（右側の端面）において、各板体６２１の略中央部分が各開口部６１２１Ａ，６１２１Ｂおよび第２板体６１２２に形成された各開口部を介して吸気ダクト６１外部に面するように各開口部６１２１Ａ，６１２１Ｂ周縁部分にそれぞれ固定される。この状態では、各空気放熱部材６２は、各開口部６１２１Ａ，６１２１Ｂに嵌合された各第１ペルチェ素子６３の第１吸熱面６３１に各板体６２１が熱伝達可能に接続する。
【００４４】
そして、吸気ダクト６１内部において閉塞部材６１２に沿って上方側から下方側に向けて流通する空気は、各フィン部材６２２間を流通する際に、熱が奪われる。各フィン部材６２２の熱は、各板体６２１を介して、各第１ペルチェ素子６３の第１吸熱面６３１から吸熱される。そして、各第１ペルチェ素子６３の第１吸熱面６３１から吸熱された熱は、第１放熱面６３２から吸気ダクト６１外部に放熱される。
【００４５】
一対のシロッコファン６４は、各吐出口６４１（図９）が左側に向き、各吸入口６４２（図８、図１０）が上方側に向いた状態で筒状部材６１１の下方側端面に取り付けられる。この状態では、一対のシロッコファン６４は、各吸入口６４２が筒状部材６１１における下方側端面に形成された一対の開口部にそれぞれ接続する。そして、一対のシロッコファン６４は、外装筐体２外部の空気を吸気口２５１および吸気ダクト６１を介して吸入し、各吐出口６４１から左側に吐出する。
【００４６】
送風ダクト６５は、光学装置本体４５Ａの配設位置の下方側から各吐出口６４１に向けて２つに分岐して延出し、各先端部分が各吐出口６４１に接続する。
また、送風ダクト６５の上方側端面には、光学部品用筐体４６の３つの開口部４６１２Ｒ，４６１２Ｇ，４６１２Ｂに対応して、上方側に向けて突出し、内部の空気を流出させる３つの流出部６５１が形成されている。
そして、送風ダクト６５は、一対のシロッコファン６４から吐出された空気を、各流出部６５１を介して下方側から上方側に向けて流出する。送風ダクト６５を介した空気は、光学部品用筐体４６の３つの開口部４６１２Ｒ，４６１２Ｇ，４６１２Ｂを介して光学部品用筐体４６内部に導入され、光学装置４５における各色光側の部材４５１〜４５３間を下方から上方に向けて流通し、各部材４５１〜４５３を冷却する。各部材４５１〜４５３を冷却した後の空気は、蓋状部材４６２の切り欠き４６２１を介して光学部品用筐体４６外部に排出される。
【００４７】
軸流ファン６６は、ラジエータ７４を挟んで、排気口２５２に対向配置され、吸入した空気をラジエータ７４に向けて吐出し、ラジエータ７４を冷却する。そして、ラジエータ７４を介した空気は、排気口２５２から外装筐体２外部に排出される。
【００４８】
〔液冷装置の構成〕
図１２および図１３は、液冷装置７の構成を説明するための図である。具体的に、図１２は、液冷装置７を前面右上方側から見た斜視図である。図１３は、液冷装置７を背面左下方側から見た斜視図である。
液冷装置７は、環状の流路に沿って水やエチレングリコール等の冷却液体を循環させ、該冷却液体により各ペルチェ素子５５，６３の第２放熱面５５２，６３２を冷却する。この液冷装置７は、図１２または図１３に示すように、液体圧送部７１と、２つの第１受熱部材としての受熱ジャケット７２，７３と、液体放熱部としてのラジエータ７４と、液体蓄積部７５と、複数の液体循環部材７６とを備える。
【００４９】
複数の液体循環部材７６は、内部に冷却液体を流通可能とする管状部材で構成され、各部材７１〜７５を接続し、環状の流路を形成する。
なお、液体循環部材７６による各部材７１〜７５の接続構造については、後述する。
【００５０】
液体圧送部７１は、冷却液体を吸入および圧送するポンプであり、環状の流路に沿って冷却液体を循環させる。
この液体圧送部７１は、例えば、アルミニウム等の熱伝導性材料から構成された中空部材内に羽根車が配置された構成を有し、前記羽根車が回転することで、冷却液体を吸入および圧送する。
そして、液体圧送部７１は、図６、図７、図１２または図１３に示すように、断熱部材５４の上方側端面（開口部５４１の周縁部分）に固定される。この状態では、液体圧送部７１は、第２ペルチェ素子５５の第２放熱面５５２に熱伝達可能に接続する。
すなわち、液体圧送部７１は、本発明に係る第２受熱部材に相当する。
【００５１】
各受熱ジャケット７２，７３は、略直方体状の中空部材で構成され、内部を流通する冷却液体に外部から受熱した熱を伝達する。
各受熱ジャケット７２，７３の内部には、具体的な図示は省略したが、冷却液体が流通する数１０μｍ〜数１００μｍ程度の流路径を有する複数の微細流路が形成されている。すなわち、各受熱ジャケット７２，７３は、いわゆる、マイクロチャンネル等の熱交換器で構成されている。
これら各受熱ジャケット７２，７３において、外面には、内部の冷却液体と熱伝達可能に接続し、外部から受熱した熱を内部の冷却液体に伝達させる受熱部７２１，７３１（図１２）が形成されている。
そして、各受熱ジャケット７２，７３は、各受熱部７２１，７３１が第２板体６１２２に形成された各開口部にそれぞれ嵌合された状態で、前記各開口部周縁部分に固定される。この状態では、各受熱部７２１，７３１が各第１ペルチェ素子６３の第１放熱面６３２に熱伝達可能に接続する。
【００５２】
ラジエータ７４は、外装筐体２内部において排気口２５２に対向するように配設され、環状の流路に沿って循環する冷却液体の熱を放熱する。このラジエータ７４は、図１２または図１３に示すように、管状部材７４１と、複数のフィン部材７４２とを備える。
管状部材７４１は、アルミニウム等の熱伝導性材料から構成され、上方側から下方側に向けて、または、下方側から上方側に向けて複数回、屈曲され、蛇行するように形成されている。
【００５３】
複数のフィン部材７４２は、アルミニウム等の熱伝導性材料からなる板体で構成され、上下方向に所定の間隔を空けて並列配置されている。そして、各フィン部材７４２は、管状部材７４１が貫通され、管状部材７４１と熱伝達可能に接続する。
すなわち、管状部材７４１内部を冷却液体が流通する際に、冷却液体の熱が複数のフィン部材７４２に伝達される。また、軸流ファン６６から吐出された空気が各フィン部材７４２間を流通し、各フィン部材７４２が冷却される。
【００５４】
液体蓄積部７５は、冷却液体を蓄積し、環状の流路に沿って循環する冷却液体の液量を確保する部材である。
この液体蓄積部７５は、略円柱形状を有し、２つの容器状部材から構成され、２つの容器状部材の開口部分を互いに接続することで内部に冷却液体を一時的に蓄積する。
【００５５】
〔液体循環部材による接続構造〕
図１４は、液体循環部材７６による接続構造を模式的に示した図である。
次に、液体循環部材７６による各部材７１〜７５の接続構造について説明する。
液体循環部材７６は、図１２ないし図１４に示すように、第１〜第５液体循環部材７６Ａ〜７６Ｅの５本で構成されている。
具体的に、第１液体循環部材７６Ａは、流入側および流出側が液体圧送部７１および受熱ジャケット７２にそれぞれ接続される。
第２液体循環部材７６Ｂは、流入側および流出側が受熱ジャケット７２，７３にそれぞれ接続される。
第３液体循環部材７６Ｃは、流入側および流出側が受熱ジャケット７３およびラジエータ７４における管状部材７４１の一方の端部にそれぞれ接続される。
第４液体循環部材７６Ｄは、流入側および流出側がラジエータ７４における管状部材７４１の他方の端部および液体蓄積部７５にそれぞれ接続される。
第５液体循環部材７６Ｅは、流入側および流出側が液体蓄積部７５および液体圧送部７１にそれぞれ接続される。
【００５６】
以上のような液体循環部材７６による接続構造により、液体圧送部７１〜受熱ジャケット７２〜受熱ジャケット７３〜ラジエータ７４〜液体蓄積部７５を辿り、再度、液体圧送部７１に戻る環状の流路Ｃが形成される。
すなわち、本実施形態では、環状の流路Ｃにおいて、各第１ペルチェ素子６３から熱を受熱する各受熱ジャケット７２，７３、および第２ペルチェ素子５５から熱を受熱する液体圧送部７１が直列に接続される。
そして、各第１ペルチェ素子６３にて各空気放熱部材６２を介して吸気ダクト６１内部の空気から吸熱された熱は、各第１ペルチェ素子６３の第１放熱面６３２から各受熱ジャケット７２，７３に伝達され、さらに、各受熱ジャケット７２，７３内部の冷却液体に伝達される。
また、第２ペルチェ素子５５にて熱伝導性シート５１、各ヒートパイプ５２、および受熱ブロック５３を介して光変調装置４５１Ｇから吸熱された熱は、第２ペルチェ素子５５の第２放熱面５５２から液体圧送部７１に伝達され、さらに、液体圧送部７１内部の冷却液体に伝達される。
冷却液体に伝達された熱は、冷却液体が環状の流路Ｃに沿って循環しラジエータ７４における管状部材７４１を流通する際、各フィン部材７４２に伝達される。各フィン部材７４２に伝達された熱は、軸流ファン６６から吐出され各フィン部材７４２間を流通する空気により放熱される。
【００５７】
上述した第１実施形態においては、以下の効果がある。
本実施形態では、プロジェクタ１を構成する空冷装置６は、板体６２１が吸気ダクト６１の各開口部６１２１Ａ，６１２１Ｂを介して吸気ダクト６１外部に面するように配設され、複数のフィン部材６２２にて吸気ダクト６１内部の空気の熱を受熱して板体６２１を介して吸気ダクト６１外部に放熱する空気放熱部材６２を備える。このことにより、吸気ダクト６１を介して光変調装置４５１に送風される空気の熱を空気放熱部材６２により吸気ダクト６１外部に放熱し、光変調装置４５１に送風される空気の温度を低減させることができる。このため、従来の構成と比較して、より温度の低い空気を光変調装置４５１に送風することができ、光変調装置４５１を効果的に冷却できる。したがって、光変調装置４５１（液晶パネル４５１１）の熱劣化を回避し、プロジェクタ１の長寿命化が図れる。
【００５８】
また、空冷装置６は、第１放熱面６３２が吸気ダクト６１の各開口部６１２１Ａ，６１２１Ｂを介して吸気ダクト６１外部に面し第１吸熱面６３１が空気放熱部材６２の板体６２１に熱伝達可能に接続する第１ペルチェ素子６３を備える。このことにより、吸気ダクト６１を介して光変調装置４５１に送風される空気の熱を第１吸熱面６３１から空気放熱部材６２を介して効果的に吸熱し、吸気ダクト６１外部に放熱できる。このため、光変調装置４５１に送風される空気の温度をさらに低減させ、光変調装置４５１をより効果的に冷却できる。
【００５９】
さらに、プロジェクタ１は、第２ペルチェ素子５５と、蒸発部５２１が光変調装置４５１Ｇに熱伝達可能に接続するとともに、凝縮部５２２が第２ペルチェ素子５５の第２吸熱面５５１に熱伝達可能に接続するヒートパイプ５２とを有する熱輸送装置５を備える。このことにより、光変調装置４５１に生じた熱を、ヒートパイプ５２の蒸発部５２１から凝縮部５２２に移動させ、さらに、第２ペルチェ素子５５の第２吸熱面５５１から吸熱させることができる。特に、第２ペルチェ素子５５の第２吸熱面５５１から凝縮部５２２の熱が吸熱されるため、凝縮部５２２の温度を低減して、蒸発部５２１および凝縮部５２２間の温度差を大きく設定でき、ヒートパイプ５２内部における熱の移動量を増加させることができる。
したがって、空冷装置６を用いた冷却構造に加えて、熱輸送装置５を用いることで、光変調装置４５１Ｇをより一層効果的に冷却できる。
【００６０】
また、熱輸送装置５は、光変調装置４５１Ｇ（パネル保持枠４５１２）および支持部材４５５Ｇの各側端部を跨るように取り付けられる熱伝導性シート５１を備える。そして、ヒートパイプ５２は、熱伝導性シート５１における支持部材４５５Ｇに取り付けられる部位に熱伝達可能に接続する。すなわち、ヒートパイプ５２は、光変調装置４５１Ｇに直接、接続することなく、熱伝導性シート５１を介して光変調装置４５１Ｇに熱伝達可能に接続する。このことにより、ヒートパイプ５２を取り付ける際に光変調装置４５１Ｇに力が加わることがなく、さらには、ヒートパイプ５２を取り付けた後でのヒートパイプ５２の熱応力が光変調装置４５１Ｇに加わることがなく、各光変調装置４５１の相互位置のずれを防止でき、画素ずれを回避できる。このため、プロジェクタ１は、鮮明な投影画像を表示させることができる。
【００６１】
さらに、プロジェクタ１は、液冷装置７を備えるので、第１ペルチェ素子６３における第１放熱面６３２の熱を各受熱ジャケット７２，７３にて受熱して内部の冷却液体に伝達させ、第２ペルチェ素子５５における第２放熱面５５２の熱を液体圧送部７１にて受熱して内部の冷却液体に伝達させることができる。また、冷却液体が環状の流路Ｃに沿って循環しラジエータ７４を流通する際に、冷却液体から熱を放熱させることができる。このため、各ペルチェ素子５５，６３における各放熱面５５２，６３２から効果的に熱を放熱させることができ、各ペルチェ素子５５，６３の消費電力に対する冷却対象（空気放熱部材６２、ヒートパイプ５２の凝縮部５２２）から吸熱する吸熱量の比率（吸熱比率）を向上させることができる。したがって、第１ペルチェ素子６３により空気放熱部材６２を介して吸気ダクト６１内部の空気の温度をより一層低減させることができるとともに、第２ペルチェ素子５５によりヒートパイプ５２を介して光変調装置４５１Ｇの温度をより一層低減させることができ、光変調装置４５１Ｇをより一層効果的に冷却できる。
【００６２】
また、液体圧送部７１が第２ペルチェ素子５５における第２放熱面５５２に熱伝達可能に接続する。液体圧送部７１内部では冷却液体が撹拌され冷却液体の温度が均一化されるため、温度が均一化された冷却液体により第２ペルチェ素子５５における第２放熱面５５２から液体圧送部７１を介して均一に熱を受熱することができる。
さらに、液冷装置７では、液体循環部材７６により各部材７１〜７５が直列に接続されているため、ポンプ性能の高い液体圧送部７１を採用しなくても、環状の流路Ｃに沿って循環する冷却液体の流速を十分に確保でき、液体圧送部７１の選択の自由度を向上できる。
【００６３】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図１５は、第２実施形態における液体循環部材７６による接続構造を模式的に示した図である。
本実施形態では、図１５に示すように、前記第１実施形態に対して、液体圧送部７１の配設位置に第２受熱部材としての第２受熱ジャケット７７を配設し、液体圧送部７１を他の位置に配設した点、および液体循環部材７６による各部材７１〜７５，７７の接続構造が異なるのみである。その他の構成は、前記第１実施形態と同様である。
【００６４】
第２受熱ジャケット７７は、受熱ジャケット７２，７３（以下、説明の便宜上、第１受熱ジャケット７２，７３と記載）と同様の構成を有し、前記第１実施形態で説明した液体圧送部７１と同様に、断熱部材５４の上方側端面に固定され、第２ペルチェ素子５５の第２放熱面５５２に熱伝達可能に接続する。
そして、本実施形態では、液体循環部材７６（７６Ａ〜７６Ｅ）は、以下に示すように、各部材７１〜７５，７７を接続する。
【００６５】
第１液体循環部材７６Ａは、流出側が２つに分岐され、一方の流出側が第２受熱ジャケット７７に接続され、他方の流出側が第１受熱ジャケット７２に接続される。また、第１液体循環部材７６Ａは、流入側が液体圧送部７１に接続される。
第２液体循環部材７６Ｂは、流入側および流出側が第１受熱ジャケット７２，７３にそれぞれ接続される。
第３液体循環部材７６Ｃは、流入側が２つに分岐され、一方の流入側が第２受熱ジャケット７７に接続され、他方の流入側が第１受熱ジャケット７３に接続される。また、第３液体循環部材７６Ｃは、流出側がラジエータ７４における管状部材７４１の一方の端部に接続される。
第４液体循環部材７６Ｄは、流入側および流出側がラジエータ７４における管状部材７４１の他方の端部および液体蓄積部７５にそれぞれ接続される。
第５液体循環部材７６Ｅは、流入側および流出側が液体蓄積部７５および液体圧送部７１にそれぞれ接続される。
【００６６】
以上のような液体循環部材７６による接続構造により、液体圧送部７１〜各受熱ジャケット７２，７３，７７〜ラジエータ７４〜液体蓄積部７５に辿り、再度、液体圧送部７１に戻る環状の流路Ｃが形成される。
すなわち、本実施形態では、環状の流路Ｃにおいて、各第１ペルチェ素子６３から熱を受熱する各第１受熱ジャケット７２，７３が直列に接続されるとともに、各第１受熱ジャケット７２，７３と第２ペルチェ素子５５から熱を受熱する第２受熱ジャケット７７とが並列に接続される。
【００６７】
上述した第２実施形態においては、前記第１実施形態と同様の効果の他、以下の効果がある。
本実施形態では、液冷装置７は、環状の流路Ｃにおいて、液体循環部材７６により各第１受熱ジャケット７２，７３と第２受熱ジャケット７７とが並列に接続されているため、同一の温度の冷却液体を各第１受熱ジャケット７２，７３と第２受熱ジャケット７７とに流通させることができ、各ペルチェ素子５５，６３における各第２放熱面５５２，６３２から効率的に熱を放熱させることができる。
【００６８】
なお、本発明は前述の実施形態に限定されるものではなく、本発明の目的を達成できる範囲での変形、改良等は本発明に含まれるものである。
前記各実施形態では、吸気ダクト６１内部の空気の冷却構造として、空気放熱部材６２の他、第１ペルチェ素子６３を採用していたが、これに限らず、第１ペルチェ素子６３の代わりに、以下の構成を採用しても構わない。
例えば、吸気ダクト６１外部に空気放熱部材６２と同様のヒートシンクを配設し、前記ヒートシンクを空気放熱部材６２の板体６２１に熱伝達可能に接続する。そして、前記ヒートシンクを冷却ファンにて冷却する。
【００６９】
前記各実施形態では、ヒートパイプ５２は、２つ設けられていたが、その数は特に限定されず、１つのみでもよく、あるいは、３つ以上設けても構わない。なお、ヒートパイプ５２を３つ以上設けた場合には、光変調装置４５１Ｇのみならず、他の光変調装置４５１Ｒ，４５１Ｂにも熱伝達可能に接続し各光変調装置４５１Ｒ，４５１Ｂを冷却する構成としても構わない。
【００７０】
前記各実施形態では、液冷装置７が１つのみ設けられていたが、例えば、第１ペルチェ素子６３と、第２ペルチェ素子５５とに応じて、液冷装置をそれぞれ設けた構成としても構わない。
前記第１実施形態では、第２ペルチェ素子５５の第２放熱面５５２に液体圧送部７１が熱伝達可能に接続した構成としていたが、これに限らず、第１ペルチェ素子６３の第１放熱面６３２に液体圧送部７１を熱伝達可能に接続した構成としても構わない。
【００７１】
前記各実施形態では、第１ペルチェ素子６３は、４つ設けられていたが、その数は特に限定されず、例えば１つでも構わない。空気放熱部材６２も同様である。
前記各実施形態において、冷却対象である光学素子として、光変調装置４５１を採用していたが、これに限らず、光源装置４１、偏光変換素子４２４、入射側偏光板４５２、射出側偏光板４５３等の他の光学素子を冷却対象としても構わない。
【００７２】
前記各実施形態において、空冷装置６の構成は、前記各実施形態で説明した構成に限らない。
例えば、前記各実施形態では、冷却ファンとして、一対のシロッコファン６４を採用していたが、軸流ファンを採用しても構わない。
また、例えば、冷却ファンの配設位置を、吸気ダクト６１の流路前段側に配設しても構わない。
さらに、例えば、空気放熱部材６２や第１ペルチェ素子６３等を吸気ダクト６１ではなく、送風ダクト６５に設けても構わない。
【００７３】
前記各実施形態において、光源装置４１は、前記各実施形態で説明した構成に限らず、レーザダイオード、ＬＥＤ(Light Emitting Diode)、有機ＥＬ(Electro Luminescence)素子、シリコン発光素子等の各種固体発光素子で構成しても構わない。
前記各実施形態では、プロジェクタ１は、液晶パネル４５１１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いても構わない。
前記各実施形態では、光変調装置として液晶パネルを用いていたが、マイクロミラーを用いたデバイス等、液晶以外の光変調装置を用いても構わない。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００７４】
本発明は、光学素子を効果的に冷却できるため、プレゼンテーションやホームシアタに用いられるプロジェクタに利用できる。
【図面の簡単な説明】
【００７５】
【図１】第１実施形態におけるプロジェクタの内部構造を示す斜視図。
【図２】前記実施形態における装置本体を示す図。
【図３】前記実施形態における装置本体を示す図。
【図４】前記実施形態における光学ユニットの光学系を模式的に示す平面図。
【図５】前記実施形態における光学装置本体の構成を示す分解斜視図。
【図６】前記実施形態における熱輸送装置の構成を示す図。
【図７】前記実施形態における熱輸送装置の構成を示す図。
【図８】前記実施形態における空冷装置の構成を説明するための図。
【図９】前記実施形態における空冷装置の構成を説明するための図。
【図１０】前記実施形態における空冷装置の構成を説明するための図。
【図１１】前記実施形態における閉塞部材、空気放熱部材、および第１ペルチェ素子の配置位置を示す分解斜視図。
【図１２】前記実施形態における液冷装置の構成を説明するための図。
【図１３】前記実施形態における液冷装置の構成を説明するための図。
【図１４】前記実施形態における液体循環部材による接続構造を模式的に示した図。
【図１５】第２実施形態における液体循環部材による接続構造を模式的に示した図。
【符号の説明】
【００７６】
１・・・プロジェクタ、２・・・外装筐体、６・・・空冷装置、７・・・液冷装置、５１・・・熱伝導性シート、５２・・・ヒートパイプ、６１・・・吸気ダクト（ダクト部材）、６２・・・空気放熱部材、６３・・・第１ペルチェ素子（第１熱電変換素子）、６４・・・シロッコファン（冷却ファン）、６５・・・送風ダクト（ダクト部材）、７１・・・液体圧送部（第２受熱部材）、７２，７３・・・受熱ジャケット（第１受熱部材）、７４・・・ラジエータ（液体放熱部）、７６・・・液体循環部材、７７・・・第２受熱ジャケット（第２受熱部材）、４５１Ｇ・・・光変調装置（光学素子）、４５４・・・クロスダイクロイックプリズム（色合成光学装置）、４５５・・・支持部材、５５１・・・第２吸熱面、５５２・・・第２放熱面、６２１・・・板体、６２２・・・フィン部材、６３１・・・第１吸熱面、６３２・・・第１放熱面、Ｃ・・・流路。
【図１】
2009229955.tif 000003
【図２】
2009229955.tif 000004
【図３】
2009229955.tif 000005
【図４】
2009229955.tif 000006
【図５】
2009229955.tif 000007
【図６】
2009229955.tif 000008
【図７】
2009229955.tif 000009
【図８】
2009229955.tif 000010
【図９】
2009229955.tif 000011
【図１０】
2009229955.tif 000012
【図１１】
2009229955.tif 000013
【図１２】
2009229955.tif 000014
【図１３】
2009229955.tif 000015
【図１４】
2009229955.tif 000016
【図１５】
2009229955.tif 000017